(57)【要約】【課題】容易に製作でき、端子の配列を密にでき、ハウジングの強度も低下することなく、インピーダンスを上げることができる、高速信号伝送に好適な平型導体用電気コネクタを提供することを課題とする。【解決手段】腕状部材をなす信号端子２０と、腕部３０Ａと支持部３５を連結部３４で連結した信号端子２０とを有し、信号端子２０は接触部２２と接続部２１の間の部分に、そして支持端子３０は接触部３２と連結部２４の間の部分に、端子溝１８の島状の固定部１９へ圧入される被固定部２３；３３を有し、端子溝１８は信号端子２０と支持端子３０のいずれも選択的に挿入可能であり、信号端子あるいは支持端子の被固定部が固定部と下壁の間で圧入されるようになっており、端子溝１８は、前後方向で固定部と固定部よりも前方部分で成る前方領域１８Ｂ内に、板面に対して直角な方向での溝内壁面同士間距離が端子の案内溝幅よりも大きい幅広域を有している。【選択図】図２
2014082104.tif 000002
【特許請求の範囲】
【請求項１】
ハウジングの受入部へ前方に向け挿入される平型導体との接触のための接触部を有している信号端子と支持端子が金属板の平坦な板面を維持して作られハウジングの端子溝へ挿入されて上記板面に対して直角な方向に配列保持されている平型導体用電気コネクタにおいて、
信号端子は、前後方向に延び異なる位置に接触部とハウジング外で回路基板へ半田接続されるための接続部とが形成された腕状部材をなし、
支持端子は、前後方向に延び接触部が形成された腕部と、該腕部に加え、平型導体に対して該腕部と反対側に位置する支持腕部と、上記腕部に対して該支持腕部を連結する連結部とを有し、上記支持腕部の先端部分に平型導体の加圧のための可動部材を可動に支持する支持部が形成され、
上記信号端子は接触部と接続部の間の部分に、そして支持端子は接触部と連結部の間の部分に、それぞれ端子溝の対応固定部へ圧入される被固定部を有し、
上記端子溝は信号端子と支持端子のいずれも選択的に挿入可能とするような形状をなして該ハウジングの上壁と下壁との間に形成され、該端子溝内に島状の固定部が設けられ、信号端子あるいは支持端子の被固定部が該固定部と下壁の間で上下方向に作用する圧入力により固定されるようになっており、少なくとも一部の上記端子溝は、前後方向で上記島状の固定部と該固定部よりも前方部分で成る前方領域内に、上記板面に対して直角な方向での溝内壁面同士間距離が端子の案内挿入のための同方向での案内溝幅よりも大きくなっている幅広域を有していることを特徴とする平型導体用電気コネクタ。
【請求項２】
端子溝は、前後方向にて幅広域の範囲で、該端子の上端縁そして下端縁の少なくとも一方に対応する端子溝の上端溝面もしくは下端溝面に、上記幅広域での溝幅よりも狭く形成された狭溝部を有していることとする請求項１に記載の平型導体用電気コネクタ。
【発明の詳細な説明】
【技術分野】
【０００１】
本発明は、平型導体用電気コネクタに関する。
【背景技術】
【０００２】
平型導体としては、フレキシブル基板（ＦＰＣ）、フラットケーブル（ＦＦＣ）等が知られている。かかる平型導体は、導線が密に配列されているので、回路基板に取り付けられた多極の電気コネクタに用いられることが多い。多極の電気コネクタは、端子を上記平型導体に対応して密に配列するために、金属板の平坦な板面をそのまま維持して作られた端子を板面に直角方向に配列して有している。このようなコネクタとしては、特許文献１に開示されているコネクタが知られている。
【０００３】
かかる電気コネクタは、高速信号伝送用にも広く用いられる。高速信号伝送コネクタでは、上述の板面を維持して作られた端子は、例えば、特許文献２に見られるように、信号端子（信号コンタクト）と支持端子（支持コンタクト）とから構成されている。支持端子は、平型導体を圧するための可動部材（操作部材）を可動に支持している。特許文献２では、信号端子は、高速信号伝送に好適なように、平型導体に接触する接触部と回路基板に半田接続される接続部とをほぼ直状に結ぶ腕状部材として作られていて、ハウジングの端子溝への係止の突起以外には、上記接触部と接続部の間で突出あるいは延出する部分はない。これにより、Ｇ（ギガ）ｂｐｓ帯の高速伝送におけるスタブの影響を少なくできる。一方、支持端子は、接触部が接続部まで上記信号端子と同じ形状をなす腕部を有し、これに加えて、腕部の中間位置で立ち上がる連結部の上端で上記腕部と平行となるように延びる支持腕部をも有している。該支持腕部は支持部を有し、該支持部にて上記可動部材が可動に支持されている。かかる特許文献２では腕状部材の信号端子と支持端子の腕部とが同じ形状をなしているので、複数の端子溝へは、信号端子と支持端子のいずれでも選択的に挿入できる。
【０００４】
高速伝送特性を向上させるためには、コネクタのインピーダンスを回路基板及び接続対象物のインピーダンスに極力近づける必要がある。
【０００５】
しかし、ハウジングに形成される端子溝同士の間には両者を仕切り、端子を該端子の板面で支持する仕切壁が存在しており、このハウジングの材料となっている樹脂材の比誘電率は高い。したがって、隣接する端子間の結合容量が高まり易い構造であり、コネクタのインピーダンスが回路基板及び接続対象物のインピーダンスに比べて大きく低下する傾向にある。
【０００６】
そこで、特許文献３では、ハウジングの仕切壁に厚みの範囲に中空部を設けて、隣接する端子同士間に空気層を形成することで、端子同士間の誘電率を下げて、その結果コネクタのインピーダンスを高くするようにしている。
【先行技術文献】
【特許文献】
【０００７】
【特許文献１】特開２００９−２６６４４０
【特許文献２】特開２０１１−２１６２２０
【特許文献３】特開２０１２−０７４３４１
【発明の概要】
【発明が解決しようとする課題】
【０００８】
特許文献３では、端子同士間のハウジングの仕切壁の両面で端子の板面を支持しつつ該仕切壁の厚み範囲に中空部を形成することとしているので、仕切壁の強度を維持するには、中空部の寸法を考慮すると仕切壁の厚みを大きくせねばならず、複数の端子の密な配列ができなくなる。さりとて、密な配列を行うために仕切壁の厚みを小さくすると、中空部の存在により仕切壁の強度が低下してしまうという問題がある。
【０００９】
さらには、もともとあまり厚みの大きくない仕切壁に中空部を形成するには、ハウジングをモールド成型するための金型が複雑となってコスト高になる。
【００１０】
本発明は、かかる事情に鑑み、容易に製作でき、端子の配列を密にできることを確保しつつ、ハウジングの強度も低下することなく、インピーダンスを上げることができる、高速信号伝送に好適な平型導体用電気コネクタを提供することを課題とする。
【課題を解決するための手段】
【００１１】
本発明に係る平型導体用電気コネクタは、ハウジングの受入部へ前方に向け挿入される平型導体との接触のための接触部を有している信号端子と支持端子が金属板の平坦な板面を維持して作られハウジングの端子溝へ挿入されて上記板面に対して直角な方向に配列保持されている。
【００１２】
かかる平型導体用電気コネクタにおいて、本発明では、信号端子は、前後方向に延び異なる位置に接触部とハウジング外で回路基板へ半田接続されるための接続部とが形成された腕状部材をなし、支持端子は、前後方向に延び接触部が形成された腕部と、該腕部に加え、平型導体に対して該腕部と反対側に位置する支持腕部と、上記腕部に対して該支持腕部を連結する連結部とを有し、上記支持腕部の先端部分に平型導体の加圧のための可動部材を可動に支持する支持部が形成され、上記信号端子は接触部と接続部の間の部分に、そして支持端子は接触部と連結部の間の部分に、それぞれ端子溝の対応固定部へ圧入される被固定部を有し、上記端子溝は信号端子と支持端子のいずれも選択的に挿入可能とするような形状をなして該ハウジングの上壁と下壁との間に形成され、該端子溝内に島状の固定部が設けられ、信号端子あるいは支持端子の被固定部が該固定部と下壁の間で上下方向に作用する圧入力により固定されるようになっており、少なくとも一部の上記端子溝は、前後方向で上記島状の固定部と該固定部よりも前方部分で成る前方領域内に、上記板面に対して直角な方向での溝内壁面同士間距離が端子の案内挿入のための同方向での案内溝幅よりも大きくなっている幅広域を有していることを特徴としている。
【００１３】
このような構成の本発明にあっては、端子溝の前方領域のいずれかの部分に幅広域を有することとしたので、該幅広域では端子の両面もしくは片面側に空気層を形成し、その結果、コネクタのインピーダンス高くなる。端子は、上記前方領域に対応する部分が該端子の板面面積の多くを占めるのできわめて有効である。上記幅広域が形成されている部分以外では、端子溝は端子の両面で端子支持が可能であり、それにより支持力を確保できる。ハウジングは幅広域が形成されている近傍に固定部が島状に存在しているので、幅広域の形状によってもハウジングの強度は低下しない。
【００１４】
本発明において、端子溝は、前後方向にて幅広域の範囲で、該端子の上端縁そして下端縁の少なくとも一方に対応する端子溝の上端溝面もしくは下端溝面に、上記幅広域での溝幅よりも狭く形成された狭溝部を有しているようにすることができる。上記狭溝部の溝深さは、きわめて小さくても良く、幅広域の範囲を実質的に減ずることなく、端子をその板厚方向で確実に定位置に維持することができるようになり、接続部の実装位置が安定し、実装上のメリットがあり、また、結果として、隣接する端子同士間での空気層の厚みが、どの端子に対しても一定となり、インピーダンスも安定する。
【発明の効果】
【００１５】
本発明は、以上のように、ハウジング端子溝内に島状に設けられた固定部で固定される端子の被固定部そしてその前方部分で成る部分に対応する端子溝の前方領域に幅広部を設けることで端子との間で空気層を形成するので、該幅広部で端子の板面側に空気層を形成しても、端子溝はハウジングの強度を実質上低下することはない。しかも、幅広部は容易に製作でき、確実にコネクタのインピーダンスを高めることができる。
【図面の簡単な説明】
【００１６】
【図１】本発明の第一実施形態のコネクタと挿入接続前の平型導体を、該平型導体の挿入側となる後方から見たときの斜視図である。
【図２】図１のコネクタの一部について、可動部材を省略して示す、拡大横断面図である。
【図３】図１のコネクタの端子のない状態で、可動部材が開位置にあるときの縦断面図であり、端子が挿入されるべき位置を二点鎖線で示し、（Ａ）は支持端子、（Ｂ）は信号端子の位置での断面図である。
【図４】図３のコネクタを端子が挿入された状態について示し、可動部材が開位置における縦断面図であり、（Ａ）は支持端子の位置、（Ｂ）は信号端子の位置での断面である。
【図５】図３のコネクタに端子が挿入されたときの図３における紙面に直角な面での縦断面で、（Ａ）は図３（Ａ）でのVA-VA断面、（Ｂ)は図３（Ｂ）でのVB-VB断面である。
【図６】本発明の変形例についての図５（Ｂ)に相当する位置での断面図である。
【図７】本発明の他の変形例についての図５（Ｂ)に相当する位置での断面図である。
【発明を実施するための形態】
【００１７】
以下、添付図面にもとづき、本発明の実施の形態を説明する。
【００１８】
図１は、本実施形態のコネクタ１と、該コネクタ１へ挿入されて接続されるべき平型導体Ｆとを、その接続前の状態を後方から見て示す全体斜視図である。
【００１９】
図１において、符号Ｆは平型導体であり、コネクタ１側に位置する前端部から後方に向け長く延びており、図では、前端部側の一部のみが示されていて、他部は図示が省略されている。平型導体Ｆは、前端部の上面にシート状の補強部材Ｆ１が粘着されており、下面には、接続導体部が露呈していて後述の二種の端子の接触部と接触可能となっている。また、該平型導体Ｆは、その幅方向両側に位置する側縁に耳状に突出する係止部Ｆ２を有している。
【００２０】
コネクタ１は、コネクタ本体１０と該コネクタ本体１０に支持されて回動可能な可動部材５０とを有している。可動部材５０は、平型導体Ｆの前端部をコネクタ本体１０へ挿入可能とする図１に図示の開位置と、挿入された平型導体を圧する閉位置との間を回動可能となっている。該可動部材５０が閉位置にきたときに、コネクタ１はその外形が略直方体となる。
【００２１】
コネクタ本体１０は、電気絶縁材料で作られたハウジング１１と、該ハウジング１１により保持された二種の端子２０，３０及び固定金具４０とを有している。二種の該端子２０，３０は、上記平型導体Ｆの幅方向を配列方向として、一種の端子２０を二つ配し、その隣りに他種の端子３０を配する、ということを繰り返すように位置しており、固定金具４０はこれら端子２０，３０の配列範囲の外側に位置している。上記ハウジング１１は、上記端子の配列方向にて両端に位置する側壁１２と、両方の側壁１２をそれらの下部でつなぐ下壁１３と、前部に位置する前壁１４と、該前壁１４の上に位置する上壁１５とを一体に有しており、上記下壁１３より上方で、両方の側壁１２の間に、上方そして後方に開放された開口部１６が形成されている。該開口部１６は、後述の平型導体Ｆの挿入のための受入部として、そして上述の可動部材５０の配置そして可動のための空間として機能する。
【００２２】
ハウジング１１には、上述側壁１２の内面に沿って、金属板から作られた固定金具４０のための金具溝１７が形成されていて、ここに固定金具４０が取り付けられている。該固定金具４０は、ハウジング１１の底面から若干出ていて、回路基板（図示せず）の対応部と半田接続されてハウジング１１の固定に寄与する。
【００２３】
上記幅方向で両方の上記金具溝１７の間には、端子を収める複数の端子溝１８が形成されている。端子は、後述の信号端子２０と支持端子３０の二種から成っているが、いずれも、金属板の平坦は板面を維持して作られており、したがって、上記端子溝１８もその板厚に適合したスリット状の溝となっている。この端子溝１８は、図３（Ａ），（Ｂ）に見られるように、前（右）後（左）方向に貫通して形成されているが、後述のような幅広部を局所的に有している。上記端子溝１８は、ハウジングの上壁１５と下壁１３の間で前壁１４を前後に貫通していると共に、開口部１６が形成されている後部では上記下壁１３の上面にまで及んでいる。該端子溝１８は、信号端子２０そして支持端子３０が二点鎖線でそれぞれ示されている図３（Ａ），（Ｂ）にも見られるように、信号端子２０が挿入される端子溝もそして支持端子３０が挿入される端子溝も同じ形状に形成されている。したがって、どの端子溝１８に対しても、信号端子２０、そして支持端子３０のいずれもが選択的に挿入可能となっている。端子溝１８内には、上記前壁１４の後部に、上下方向で上壁１５と下壁１３の間に島状の固定部１９が設けられていて、該端子溝１８を、該固定部１９よりも上側の上方領域１８Ａ、下側で前方に位置する前方領域１８Ｂそして両域を前部側で連通せしめる連結領域１８Ｃ、さらには、前後方向で開口部１６に対応する下壁１３の後方部分に形成される開放後方領域１８Ｄに区分している（各領域１８Ａ〜Ｄの範囲については、図３（Ａ）参照）。これらの上方領域１８Ａ、前方領域１８Ｂ、連結領域１８Ｃそして開放後方領域１８Ｄは互いに連通して一つの端子溝１８を形成している。上記端子溝１８は、開放後方領域１８Ｄの溝底が前方領域１８Ｂの溝底よりも一段下方に位置している。これにより、後述の端子２０，３０の接触部２２，３２の下方への変位を許容すると共に、端子の半田接続の際にフラックスが上がってきても、該フラックスが接触部まで達することを阻止する隙間を形成することとなる。
【００２４】
上記端子溝１８は、その上方領域１８Ａ、前方領域１８Ｂ、連結領域１８Ｃそして開放後方領域１８Ｄを加えたすべての領域、すなわち端子溝１８の全領域が支持端子３０に用いられ、上記前方領域１８Ｂと開放後方領域１８Ｄのみが信号端子２０に用いられる。該端子溝１８については、信号端子２０そして支持端子３０についての説明後、再度言及する。
【００２５】
金属板の平坦な板面を維持して作られている上記信号端子２０は、図４（Ａ）のごとく、前後に延びる腕状部材として形成されており、前端部に接続部２１そして後端部に接触部２２を、さらには中間部に被固定部としての突起２３を有している。上記接続部２１は、ハウジング１１外に突出して下方へ屈曲された部分として形成されており、該接続部２１の下縁はハウジング１１の底面よりも下方に位置していて、図示せぬ回路基板上に配されたとき、該回路基板の対応部に対して半田接続されるようになっている。この信号端子２０は、後方へはハウジング１１の中間部にまで延びており、上記接触部２２はその後端で上方へ突出して設けられている。上記被固定部としての突起２３は、中間部の上縁で二箇所に形成されている。このように形成される信号端子２０は、ハウジング１１の端子溝１８の島状の固定部１９と下壁１３との間に圧入される。上記突起２３が固定部１９の下縁に喰い込んで固定位置が定まる。信号端子２０の後部はハウジング１１の前壁１４よりも後方へ突出しており、しかも下縁が端子溝１８の溝底との間に隙間を形成しており、下方への弾性撓みが可能となっている。すなわち、上記接触部２２が平型導体Ｆから下方への力を受けたときに、この接触部２２は上記隙間の分だけ下方へ弾性変位可能となっている。上記信号端子２０は、端子溝１８の前方側開口から該端子溝１８へ挿入されて、端子溝１８内では、接触部２２を含む後部が上記端子溝１８の開放後方領域１８Ｄに、そして被固定部としての突起２３を含む前部が前方領域１８Ｂに収められる（図３（Ａ）参照）。
【００２６】
一方、支持端子３０は、図４（Ｂ）に見られるごとく、信号端子２０と同様に金属板の平坦な板面を維持して作られているが、該信号端子２０と同様な形状の腕部３０Ａに加え、該腕部３０Ａの前端で連結部３４により連結された支持腕部３５を有している。信号端子２０と支持端子３０は、既述のように選択的に端子溝１８へ挿入可能であるが、信号端子２０と支持端子３０の腕部３０Ａは、必ずしも同一形状であることを要せず、要は上記端子溝１８内へ選択的に挿入可能であればよい。
【００２７】
上記腕部３０Ａは、上述のごとく信号端子２０と同じ形状であり、前端に接続部３１、後端に接触部３２、中間部に被固定部としての突起３３を有している。腕部３０Ａが後部にて弾性撓み可能で、接触部３２が弾性変位可能なのも、信号端子２０の場合を同様である。
【００２８】
支持端子３０の連結部３４は、上記ハウジング１１の島状の固定部１９の右方に位置していて、腕部３０Ａの前端側で上方に向け延びている。
【００２９】
上記支持腕部３５は、かかる連結部３４の上端から後方へ向けて延びている。該支持腕部３５は、上記固定部１９と上壁１５との間を貫通して後方へ延び、後端の下縁に凹弯曲状の支持部３６が形成されている。該支持腕部３５は、その下方に位置する上記腕部３０Ａに比し幅（図にて上下方向寸法）が広く高剛性に作られている。支持端子３０は上記支持部３６を有していることが求められているのであり、既述の接続部３１を有していることを必ずしも要しない。
【００３０】
かかる支持端子３０は、前方から後方へ向け上記端子溝１８へ挿入されると、腕部３０Ａが、信号端子２０と同様に、島状の固定部１９と下壁１３との間に圧入されると共に、支持腕部３５が上記固定部１９と上壁１５との間に配置される。該支持端子３０は、腕部３０Ａのうち、接触部３２を含む後部が端子溝１８の開放後方領域１８Ｄに、そして被固定部としての突起３３を含む前部が前方領域１８Ｂに収められる点では、信号端子２０と同様である。
【００３１】
次に、図３（Ａ）に見られる端子溝１８、特に前方領域１８Ｂにおける溝幅に関し、再度説明する。
【００３２】
上記端子溝１８は、図３（Ａ）に見られるように、上記前方領域１８Ｂにて、溝幅が信号端子２０そして支持端子３０の板厚寸法よりも大きい溝幅の幅広域を有している。この幅広域以外では、端子溝１８は、信号端子２０そして支持端子３０をこれらの板面で挿入ガイドしあるいは支持できるように板面に接しもしくは板面との間に若干の隙間を形成する程度の溝幅で、上記幅広域よりも狭い狭溝部を形成している。上記幅広域は前方領域内の少なくとも一部に形成されていれば足りる。
【００３３】
上記幅広域は、図３（Ａ），（Ｂ）に見られるように、端子溝１８の前方領域１８Ｂの前部かつ上部に位置する部分に形成されており、テーパ域１８Ｂ−１と平行域１８Ｂ−２とを有している。前後方向では、平行域１８Ｂ−２は島状の固定部１９よりも前方部分に形成され、テーパ域１８Ｂ−１は固定部１９の前後方向範囲内に形成されている。平行域１８−２は、図５（Ｂ）に見られるように、信号端子２０そして支持端子３０の板厚よりも十分に大きな溝幅を有し、端子の板面との間に空気層Ａを形成している。
【００３４】
テーパ域１８Ｂ−１は、その後方での開放後方領域１８Ｄでの溝幅（狭溝部の溝幅）から幅広域での溝幅へと溝幅を次第に拡大するようにして、幅広な平行域１８Ｂ−２に移行するように形成されている（図２をも参照）。このテーパ域１８Ｂ−１の端子の端子溝１８への挿入を円滑に行うとともに、電気的特性が該テーパ域１８Ｂ−１で次第に変化するようにさせるという機能をも有している。図５（Ａ）は、前後方向にてテーパ域１８Ｂ−１よりも後方の開放後方領域１８Ｄ内での図３におけるVA-VA断面、図５（Ｂ）は上記平行域１８Ｂ-２内でのVB-VB断面をそれぞれ示している。
【００３５】
図５（Ｂ）からも判るように、信号端子２０そして支持端子３０の腕部３０Ａの両者の両側板面に対して、上記幅広域における平行域１８Ｂ−２により、空気層Ａが形成されている。
【００３６】
空気層Ａの形成による端子におけるインピーダンスの改善は、支持端子３０に対するよりも、高速信号伝送用である信号端子２０に対して強く求められる。上記信号端子２０は、図４（Ａ）に見られるように、ハウジング１１の島状の固定部１９で固定保持される被固定部としての突起２３が設けられている位置よりも後方部分は、後端に設けられている接触部２２が弾性変位する関係上、細く（高さ寸法が小さく）形成されており、換言すれば上記突起２３が設けられている位置よりも前方部分は弾性変位を要しない関係上太く（高さ寸法が大きく）形成されている。すなわち、信号端子２０の上記前方部分はその板面面積が後方部分よりも広くなっている。本実施形態で空気層Ａが形成される前方領域１８Ｂは、上記信号端子２０の前方部分の範囲に位置する。したがって、空気層は太い上記前方部分に対して広い範囲に形成することができ、それだけインピーダンスの改善は効果的になされる。
【００３７】
しかも、上記空気層Ａはハウジング１１に設けられた島状の固定部１９の近傍に位置するし、固定部１９が図３においてすべての端子溝１８に対して紙面に直角方向に連続しているので、該空気層Ａの形成によっても、ハウジング１１の強度を低下することはない。さらに、本実施形態では、図５（Ｂ）に見られるように、信号端子２０そして支持端子３０は、空気層Ａが形成されている部分の下端縁が端子溝１８の狭溝部の下端溝面により、わずかな面積ではあるが、板面により規制あるいは支持されているので、板厚方向での位置が一定し、その結果、インピーダンスも安定する。
【００３８】
本実施形態では、図５（Ｂ）に見られるように空気層Ａは信号端子２０そして支持端子３０の腕部３０Ａのいずれに対しても端子の両板面側に形成されていたが、本発明では、これに限定されず、図６そして図７のように、少なくとも信号端子２０に対して形成されていれば十分であり、しかも一方の板面側でよく、さらには、図７のごとく、隣接する信号端子２０に対する空気層Ａ同士が連通していてもよい。
【００３９】
本実施形態では、信号端子２０と支持端子３０は、二つの信号端子２０に隣接して一つの支持端子３０が位置するようにして配列されており、支持端子３０が信号端子２０に対してグランド端子として使用される。
【００４０】
可動部材５０は、ハウジング１１と同様の電気絶縁材料で作られていて、図１に見られるように、端子配列範囲にわたる幅を有しており、ハウジング１１の開口部１６に配置されている。該可動部材５０は、既述のごとく開位置と閉位置との間を可動に支持されているが、図４（Ａ），（Ｂ）に見られる開位置で、下部となる部分に溝部５１が形成されている。該溝部５１は、端子配列方向にて、上記信号端子２０と支持端子３０のための端子溝１８に対応する位置に形成されていて、前後に貫通しており、下端位置に溝部５１の対向溝内面同士を連結する軸部５２が設けられている。該軸部５２は、略円形の周面を有し、上記支持端子３０の支持腕部３５に凹弯曲状に形成された支持部３６内で回動自在に支持されている。しかしながら、信号端子２０は上記のような支持腕部を有していないので、信号端子２０に対応して位置する軸部５２は何ら支持されていない。上記可動部材５０は、その幅方向（端子配列方向）両端でも図示せぬ軸部でハウジングにより回動自在に支持されている。上記可動部材５０は、図４（Ａ），（Ｂ）にて、溝部５１が形成されていない上部は操作部５３を形成し、ハウジング１１の上壁１５よりも上方へ突出している。可動部材５０は、この操作部５３にて、操作力を受けて開位置と閉位置との間を回動移動する。
【００４１】
上記可動部材５０は、図４（Ａ），（Ｂ）における下端部から操作部５３にかけての後面（左面）が、閉位置において平型導体Ｆを圧する加圧部を形成する。
【００４２】
かかる本実施形態のコネクタ１は、図示しない回路基板へ取り付けられて使用される。信号端子２０と支持端子３０は、それらの接続部２１と接続部３１が回路基板の対応回路部と半田接続される。これと共に、固定金具４０もその固定部にて回路基板へ半田接続される。かくして、コネクタ１は回路基板へ接続され固定される。
【００４３】
使用に際しては、可動部材５０を図４（Ａ），（Ｂ）に示されるような開位置へもたらして、ハウジング１１の開口部１６を後方に向け大きく開口させておく。この開口部１６へ、図１に示される平型導体Ｆの前端部を挿入する。可動部材５０が図４（Ａ），（Ｂ）に示される開位置にある状態において、図１の平型導体Ｆは信号端子２０の接触部２２そして支持端子３０の接触部３２と開位置の可動部材５０との間で前方に挿入され、該平型導体Ｆの前端縁がハウジング１１の前壁１４の後面に当接して所定挿入位置へもたらされる。この所定挿入位置では、平型導体Ｆの下面に露呈している接続導体部は、対応する信号端子２０の接触部２２そして支持端子３０の接触部３２上に位置している。
【００４４】
しかる後、可動部材５０の操作部５３へ操作力を加えて該可動部材５０を、図４（Ａ），（Ｂ）にて軸部５２まわりに反時計方向に回動させて、水平位置となる閉位置へ移動させる。閉位置では、可動部材５０はその加圧部で平型導体Ｆを下方へ圧する。可動部材５０で圧せられた平型導体Ｆは信号端子２０の接触部２２そして支持端子３０の接触部３２を下方へ押圧して弾性変位させる。かくして、これらの接触部２２と接触部３２により、信号端子２０と支持端子３０は平型導体Ｆの対応接続導体部と、接圧（接触力）をもって電気的に接続される。支持端子３０は、平型導体Ｆの対応接続導体部と回路基板の対応回路部がグランド回路の場合には、グランド端子として機能する。これらの端子２０，３０の配列は、種々、自由に設定できる。信号端子２０をＳ、支持端子３０によるグランド端子をＧそして低速信号端子をＬ、さらには電源端子をＤと表記した場合、……ＧＳＳＧＳＳＧ……とする差動信号配列、……ＧＳＳＧＬＧＤＤＤ……とする複合配列、……ＧＳＳＳＳＳＧＳＳＳＳＳＧ……とするグランド端子の少ない配列等が可能である。
【００４５】
本発明において、信号端子２０は一つの直状の腕状部材として形成されている。したがって接触部２２と接続部２１との間は直状の最短距離で伝送経路を形成し、迂回経路を形成する部分を有していないので、スタブの影響を少なくでき、高速信号の伝送好適で、しかも、支持端子３０がグランド端子とすることもできるので、該支持端子３０が信号端子２０同士間に位置してシールド効果をもたらす。
【００４６】
また、本実施形態では、支持端子３０の腕部３０Ａが信号端子２０と同一形状であり、かつ端子溝１８が両端子２０，３０に対して共通形状となっているので、両端子は選択的にどの端子溝にも挿入可能であり、端子の配列に自由度をもたらす。さらには、信号端子２０と支持端子（グランド端子）３０の腕部とが同一形状とすれば、接触部での接圧がすべて同じとなり安定した接触力を得る。
【００４７】
また、本実施形態にあって、支持端子３０は、グランド端子としてのみならず、要求に応じて信号端子としても、あるいは電源端子としても使用可能である。信号端子として用いる場合は、接触部３２と接続部３１との間に連結部３４を経て支持腕部３５が存在しているので、これらが伝送速度に対して影響ないような低速信号用とすることが好ましい。
【符号の説明】
【００４８】
１  コネクタ                  ２３  被固定部    
１１  ハウジング              ３０  支持端子
１３  下壁                    ３０Ａ  腕部
１５  上壁                    ３１  接続部
１６  受入部（開口部）        ３２  接触部
１８  端子溝                  ３３  被固定部
１８Ｂ  前方領域              ３４  連結部
１９  固定部                  ３５  支持腕部
２０  信号端子                ３６  支持部
２１  接続部                  Ｆ  平型導体
２２  接触部
【図１】
2014082104.tif 000003
【図２】
2014082104.tif 000004
【図３】
2014082104.tif 000005
【図４】
2014082104.tif 000006
【図５】
2014082104.tif 000007
【図６】
2014082104.tif 000008
【図７】
2014082104.tif 000009